(57)【要約】【課題】本発明は、車両においてビデオデータを表示するための改良されたシステムを提供する。【解決手段】システムは、１又は複数の携帯用装置の表示を、１又は複数の車両側の表示装置に複製するための情報処理能力を有する。それぞれの車両側の表示装置は、特定の携帯用装置を共有するか、または、特定の携帯用装置に専念する。それぞれの携帯用装置からの画像は、情報処理で複製され、ワイヤレスの通信リンクを介して、車両側の統合ビデオシステムに提供される。ワイヤレスの通信リンクは、静止画像及び動的画像の両方に対処でき、リアルタイムにて車両側の統合ビデオシステムに画像を提供する。【選択図】図１
2007186194.tif 000002
【特許請求の範囲】
【請求項１】
車両内でビデオデータを表示するためのシステムであって、
携帯用の電子装置であって、装置側の表示装置と、装置側の制御装置と、ワイヤレス・トランスミッタとを具備し、制御装置は、装置側の表示装置に表示される画像のレプリカに対応するビデオデータを伝送するように構成されている上記携帯用の電子装置と、
車両に設けた統合ビデオシステムであって、車両側の表示装置と、車両側の制御装置と、ワイヤレス・レシーバとを具備し、制御装置は、ワイヤレス・レシーバと電気的に連絡し、ワイヤレス・レシーバからのビデオデータを再現して車両側の表示装置に表示するように構成されている上記統合ビデオシステムと、
を有することを特徴とするシステム。
【請求項２】
ワイヤレス・トランスミッタとワイヤレス・レシーバとは、赤外線通信リンクを介して通信することを特徴とする請求項１に記載のシステム。
【請求項３】
ワイヤレス・トランスミッタとワイヤレス・レシーバとは、無線周波数の通信リンクを介して通信することを特徴とする請求項１に記載のシステム。
【請求項４】
車両側の表示装置は、車両における計器群に配置されていることを特徴とする請求項１に記載のシステム。
【請求項５】
車両側の表示装置は、ダッシュボードに取り付けられていることを特徴とする請求項１に記載のシステム。
【請求項６】
車両側の表示装置は、ヘッドアップディスプレイから構成されていることを特徴とする請求項１に記載のシステム。
【請求項７】
車両側の表示装置は、頭上に取り付けられたビデオ表示器から構成されていることを特徴とする請求項１に記載のシステム。
【請求項８】
車両側の表示装置は、座席の背面に取り付けられたビデオ表示装置から構成されていることを特徴とする請求項１に記載のシステム。
【請求項９】
車両側の表示装置は、対をなす前列座席の間に位置してなる、中央コンソールに取り付けられていることを特徴とする請求項１に記載のシステム。
【請求項１０】
車両側の表示装置は、トランクに取り付けられたビデオ表示装置から構成されていることを特徴とする請求項１に記載のシステム。
【請求項１１】
制御装置は、車両側の表示装置に表示するために、ビデオデータから生成した画像のサイズを変更するように構成されていることを特徴とする請求項１に記載のシステム。
【請求項１２】
制御装置は、車両側の表示装置に表示するために、ビデオデータから生成した画像の再サンプリングをするように構成されていることを特徴とする請求項１に記載のシステム。
【請求項１３】
制御装置は、車両側の表示装置に表示するために、ビデオデータから生成した画像にカラーシフトを施すように構成されていることを特徴とする請求項１に記載のシステム。
【請求項１４】
制御装置は、車両側の表示装置に表示するために、ビデオデータから生成した画像にアスペクト比の変更を施すように構成されていることを特徴とする請求項１に記載のシステム。
【請求項１５】
画像を構築するためにビデオデータを使用し、装置側の表示装置に表示される画像と同一である画像を、車両側の表示装置に表示することを特徴とする請求項１に記載のシステム。
【請求項１６】
携帯用の電子装置は、携帯電話から構成されていることを特徴とする請求項１に記載のシステム。
【請求項１７】
携帯用の電子装置は、ＰＤＡ（personal digital assistant）から構成されていることを特徴とする請求項１に記載のシステム。
【請求項１８】
携帯用の電子装置は、圧縮メディア再生器から構成されていることを特徴とする請求項１に記載のシステム。
【請求項１９】
携帯用の電子装置は、携帯用のナビゲーション・システムから構成されていることを特徴とする請求項１に記載のシステム。
【請求項２０】
車両側の制御装置は、携帯用の電子装置を絶えずスキャンするように構成されていることを特徴とする請求項１に記載のシステム。
【請求項２１】
車両に設けた統合ビデオシステムは、複数の車両側の表示装置と、複数の車両側の制御装置と、複数のワイヤレス・レシーバとを具備し、それぞれの制御装置は、対応するワイヤレス・レシーバと電気的に連絡し、それぞれのワイヤレス・レシーバからのビデオデータを再現して対応する車両側の表示装置に表示すべく構成されていることを特徴とする請求項１に記載のシステム。
【請求項２２】
車両側の制御装置は、複数の携帯用の電子装置と連絡し、それぞれの携帯用の電子装置からの画像を再現して車両側の表示装置に表示すべく構成されていることを特徴とする請求項１に記載のシステム。
【発明の詳細な説明】
【技術分野】
【０００１】
本発明は、概略的には、車両においてビデオデータを表示するためのシステムに関する。
【背景技術】
【０００２】
消費者向けの電子市場は、急速に成長して新製品が開発されており、その速さは、自動車のＯＥＭ業者や供給者がそうした製品をサポートする機能を統合できる速度をはるかに上回っている。そのため、ＯＥＭ業者は、技術的なギャップに対処すべく、情報圧縮式のオーディオプレーヤーなどの消費者向け電子装置のための有線式インターフェースを提供したり、携帯電話などの通信機器のための無線式インターフェースを提供している。これらのインターフェースは一般に、通信リンク上において、結合、制御、及びステータス情報を提供する。これは、携帯用装置と結合して制御するという、基本的なニーズを満たす。しかしながら、携帯用装置をサポートするためには、完全に新規な、代表的には、あつらえたユーザ・インターフェースを設計しなければならない。そうしたユーザ・インターフェースは、携帯用装置のためのインターフェースと同様である場合もあるし、相違している場合もある。従って、そうしたインターフェースは、著しい開発労力を必要とし、入手可能な消費者向け電子装置のうち極めて限られた数の装置用として開発されるのがしばしばである。
【発明の開示】
【発明が解決しようとする課題】
【０００３】
上述の問題点に鑑みれば、車両においてビデオデータを表示するための改良されたシステムを求めるニーズが存在することは明らかである。
【課題を解決するための手段】
【０００４】
上述したニーズを満たすと共に、従来技術における列挙された不都合及びその他の限界を克服するために、本発明は、車両においてビデオデータを表示するための改良されたシステムを提供する。
本発明によるシステムは、１又は複数の携帯用装置の表示を、１又は複数の車両側の表示装置に複製するための情報処理能力を有する。それぞれの車両側の表示装置は、特定の携帯用装置を共有するか、または、特定の携帯用装置に専念する。それぞれの携帯用装置からの画像は、情報処理で複製され、ワイヤレスの通信リンクを介して、車両側の統合ビデオシステムに提供される。情報処理を伴う複製によって、画像は、車両内の表示装置に対して最適化される。このため、画像の最適化するために、画像のサイズを変更したり、画像を再サンプリングしたり、画像にカラーシフトを施したり、画像のアスペクト比を変更したりする。ワイヤレスの通信リンクは、静止画像及び動的画像の両方をサポートでき、リアルタイムにて車両側の統合ビデオシステムに画像を提供する。従って、携帯用の電子装置、例えば、携帯電話や、ＰＤＡ、ＭＰ３やＭＰＥＧを含む圧縮メディア再生器、及び携帯用のナビゲーションシステムなどがサポートされる。
【０００５】
本発明のその他の目的、特徴、及び利点に関しては、本願の一部をなすものである特許請求の範囲と添付図面とを参照して以下の説明を読むことで、当業者には容易に明らかになるだろう。
【発明を実施するための最良の形態】
【０００６】
まず、図１及び図２を参照すると、本発明の原理を具体化したシステムを符号１０にて示している。システム１０は、車両側の統合ビデオシステム１２と、携帯用の電子装置１４とを具備している。携帯用の電子装置１４は、装置側の表示装置１６と、装置側の制御装置１８と、ワイヤレス・トランスミッタ２０とを具備している。制御装置１８は、携帯用の電子装置１４の機能に対する制御を提供し、装置側の表示装置１６と電気的に連絡してビデオ出力を提供し、ビデオ出力は、ビットマップ形式や、ＭＰＥＧ形式、又は一次的なピクセル情報を含むラスター形式などである。ビデオ出力は、生の又は記録されたビデオ画像などのエンターテイメント用のビデオ信号、または、制御目的には、グラフィックメニューなどの形式でも良い。装置側の制御装置１８は、ビデオ出力を複製して、それをワイヤレス・トランスミッタ２０に伝えることで、複製されたビデオデータは、車両側の統合ビデオシステム１２に提供される。従って、携帯用の電子装置１４は、ＰＤＡ（personal digital assistant）や、携帯電話、圧縮メディア再生器、携帯用のナビゲーションシステム、又はその他の類似装置の形態をとり得る。
【０００７】
ビデオデータは、車両側の統合ビデオシステム１２におけるワイヤレス・レシーバ２２によって受信される。車両側の統合ビデオシステムは、例えば、車両のエンターテイメントシステムや計器群などといった、車両のより大きなサブシステムの一部分として構成しても良い。そして、トランスミッタ２０と、レシーバ２２とは、様々な無線プロトコルに従って通信するように構成される。例えば、トランスミッタ２０と、レシーバ２２とは、ＩＥＥＥ８０２．１１又はＢｌｕｅｔｏｏｔｈなどの、無線周波数の伝送を介して通信する。さらに、ワイヤレス通信は、ＩｒＤＡなどの赤外線プロトコルでも良い。しかし、その他の一般的に知られた通信プロトコルを使用したり、専門化されたインターフェースを開発しても良い。レシーバ２２は、ビデオデータを車両側の制御装置２４に提供する。車両側の制御装置２４は、装置側の表示装置１６に提供された画像に情報処理を施して、これを複製すべく、ビデオデータを使用する。さらに、車両側の制御装置２４は、ワイヤレス通信リンク上にあるべき携帯用装置を求めて絶えずスキャンするように構成しても良い。従って、車両側の制御装置２４は、割込リクエストや、ポーリングルーチン、又はこれらに類似する技術を用いて、携帯用装置１４との通信を開始する。
【０００８】
車両側の制御装置２４は、車両側の表示装置２６に表示する画像を最適化するように構成されており、このために、例えば、画像のサイズを変更したり、画像を再サンプリングしたり、画像にカラーシフトを施したり、画像のアスペクト比を変更したりする。画像のサイズを変更することには、画像を拡大又は縮小するために、画像の外部にコンテンツを追加したり、画像からコンテンツを削除したりすることが含まれる。画像を再サンプリングすることには、画像全体のコンテンツを規則正しく追加又は削除することが含まれる。再サンプリングは代表的には、画像全体に対して比例的に行われ、例えば、ひとつおきの行や、ひとつおきの列を削除して、画像のサイズを小さくする。変形例としては、行及び列を一定の間隔で追加して、画像のコンテンツに加えても良い。しかしながら、行及び列は、隣接する行及び列の間において、二重化するか、平均化するか、または、補間するかによって、コンテンツを追加することで、画像の解像度を人工的に高めると良い。
【０００９】
カラーシフトには、オリジナル画像の特定の色彩を、出力画像において、異なる色彩にマッピングして変更することが含まれる。カラーシフトは、車両側の統合された表示装置において利用可能な色数（例えば６４ｋ色）と、携帯用装置において利用可能な色数（例えば１６色）とが相違する場合に行われる。さらに、これは制御メニューなどのビデオ出力を調色するためにも使用され、例えば、車両側の表示装置が計器群に統合されている場合に、近くに位置した制御部や表示の色にマッチさせる。従って、オリジナルの画像におけるすべてのテキストが青色であったとすれば、出力画像においては青色を赤色にマッピングして、車両側の表示装置に赤色のテキストを提供する。さらに、画像のアスペクト比も変更でき、例えば、画像を不均一に再サンプリングして、水平方向についてはコンテンツを追加又は削除すると共に、垂直なコンテンツについてはこれをそのまま残して、画像を明瞭に引き伸ばしても良い。また、ワイヤレス・インターフェースは、通信リンクを介して、ステータス及び制御情報を提供し、車両側の統合ビデオシステム１２における制御装置２５によって、携帯用の電子装置１４の機能を操作できるようにしても良い。さらに、ビデオデータは、リアルタイムに提供されて、写真やメニューなどの静止的な表示をサポートし、また、ナビゲーションやビデオ又はリアルタイムの制御などの動的な表示をサポートする。
【００１０】
車両側の制御装置２４は、車両側のビデオ表示装置、例えば、計器群に配置された車両側の表示装置２６と電気的に連絡している。車両側の表示装置２６は、ＬＣＤ表示装置を具備し、運転者が容易に視認できるように、計器群のその他の計器と並んで配置される。さらに、制御装置２５は、ステアリングホイールに設けられ、運転者は、通信リンクを介して、携帯用の電子装置１４を操作できる。車両側の制御装置２４は、車両のダッシュボード２７に配置された、もうひとつの車両側表示装置２８とも電気的に連絡していて、助手席の同乗者が容易に視認できるようにしている。さらに、制御装置２５は、助手席の正面のダッシュボードに設けても良い。さらに、携帯用の電子装置１４のためのドッキング用の受け台２９を、ダッシュボードの頂部に設けても良い。さらに、車両側の制御装置２４は、ヘッドアップ式の車両側表示装置３０と電気的に連絡し、車両の運転者が容易に視認できるように、フロントガラスにおける部分４２上に画像を投影すべく構成されたプロジェクター４４を具備しても良い。
【００１１】
次に、図３を参照すると、車両側の制御装置２４は、天井に取り付けられたＬＣＤ表示装置などの車両側の表示装置３２と電気的に連絡している。天井に取り付けられた車両側の表示装置３２は、ＤＶＤプレーヤーやＶＴＲプレーヤーの表示など、車両におけるエンターテイメント・システムのために使用される。天井に取り付けられた車両側の表示装置３２は、吊下式の表示装置であって、表示装置は、後部座席の乗客が使用できるほど充分に大きく、また、はね上げて天井パネルと平行にすれば、容易に隠される。さらに、車両側の制御装置２４は、前列座席の背面に取り付けられた、車両側の表示装置３４と電気的に連絡している。さらに、前列座席の背面には、車両側の制御装置２５が設けられ、後部座席の乗客は、車両側の表示装置３４を容易に視認できると共に、車両の後部座席上にあって制御装置２５を操作できるようになっている。さらに別の車両側の表示装置３６は、車両側の制御装置２４と電気的に連絡し、前列座席の間にある中央コンソールに取り付けられている。車両側の表示装置３６は、中央コンソールに静止させて取り付けられた、ＬＣＤ表示装置などである。変形例としては、車両側の表示装置３６は、中央コンソールに容易に隠されるような、はね上げ式又ははね降ろし式の表示装置でも良い。さらに、中央コンソールには、制御装置２５が設けられて、ワイヤレス通信リンクを介して、携帯用の電子装置１４を容易に操作できる。
【００１２】
それぞれの車両側の表示装置は、制御装置２５を備え、制御装置は、どの携帯用の電子装置における装置側の表示装置の画像を複製して、ビデオデータを受けるのか、選択するように構成されている。例えば、それぞれの車両側の表示装置は、ボタン又はその他の制御部を具備し、それらは、制御装置とワイヤレス通信している利用可能な携帯用の電子装置のそれぞれの間において、表示するもの（index）として用いられる。さらに、制御装置は、表示装置を２つの部分に分割して、単一の表示装置に複数の画像を表示するように構成されている。ひとつの実施形態においては、携帯用の電子装置４６と、携帯用の電子装置４８とが、車両に設けた１又は複数の制御装置と電気的に連絡している。携帯用の電子装置４６は、円形を表示しているものとして図示され、他方、携帯用の電子装置４８は、三角形を表示しているものとして図示される。従って、ひとつの車両側の表示装置は、携帯用の電子装置４６からの画像を複製し、また、他方の車両側の表示装置は、携帯用の電子装置４８からの画像を複製する。さらに、車両側の制御装置２４は、ひとつの携帯用の電子装置の画像を車両側の表示装置におけるひとつの部分に複製し、他方の携帯用の電子装置の画像を車両側の表示装置における他の部分に複製するように構成されている。ひとつの例を示せば、車両側の表示装置３２において、携帯用の電子装置４６からの画像は、車両側の表示装置３２における半分の部分に複製され、携帯用の電子装置４８からの画像は、車両側の表示装置３２における残りの半分に複製されている。別の例としては、車両側の表示装置３６においては、ピクチャー・イン・ピクチャーの形式にて、複製されたひとつの画像の上に、複製された他方の画像がオーバーレイされている。
【００１３】
再び図１を参照すると、装置側の制御装置は、２以上の車両側の制御装置、および、２以上の車両側の統合ビデオシステムに、電気的に連絡させても良い。そして、携帯用の電子装置は、車両側の統合ビデオシステム３７とワイヤレス通信する。従って、ビデオデータは、車両側のレシーバ３８によって受信されて、車両側の制御装置３９に与えられる。車両側の制御装置３９は、車両側の表示装置４０と電気的に連絡していて、かかる表示装置は、前述した車両側の表示装置の任意のタイプに対応させることができる。車両側の制御装置を複数使用することで、コストを削減し、車両内の制御装置の通信の複雑さを低下させると共に、車両側の制御装置間においてワイヤレス通信することが可能になる。
当業者は容易に理解するだろうが、上述した説明は、本発明の原理を実現するための例示を意味している。上述した説明は、本発明の範囲や用途を限定することを意図したものではなく、本発明は、特許請求の範囲に定められた本発明の精神から逸脱せずに、応用、改変、及び変更できるものである。
【図面の簡単な説明】
【００１４】
【図１】図１は、本発明のひとつの実施形態による、携帯用装置からのビデオデータを車両において表示するためのシステムを示したブロック図である。
【図２】図２は、車両のダッシュボードと計器群とを示した斜視図である。
【図３】図３は、乗車区画室のうち前方の半分を示した斜視図である。
【図１】
2007186194.tif 000003
【図２】
2007186194.tif 000004
【図３】
2007186194.tif 000005